(57)【要約】【課題】  棟瓦を固定するための固定具の高さ位置を均一に調整するための施工作業を迅速かつ円滑に行い、高さ調整部材を強固かつ安定性の良いものにする。【解決手段】  左右両支脚板１，１の中央部に相対した両主直立板２，２の一側部に開口部４を他側部に背面部５を形成した主連結部材３を設け、前記両主直立板に溝孔８と爪片９と凹孔１０を設け、前記主連結部材の開口部に嵌挿する巾間隔を有する両副直立板１２，１２の一側部に開口部１３を他側部に背面部１４を形成した副連結部材１１を設け、前記両副直立板に設けた溝孔を前記両主直立板の爪片に係合するようにし、前記両副直立板に設けた凸起１８に前記両主直立板に設けた凹孔を嵌着し、主連結部材の背面部に内凸部を有する補強部５を設け、副連結部材の背面部に外凹部を有する補強部１５を設け、副連結部材の主連結部材への嵌挿時に内凸部と外凹部とを嵌着する。【選択図】    図１
2006328806.tif 000002
【特許請求の範囲】
【請求項１】
左右両支脚板の中央部に相対した両主直立板の一側部に開口部を、他側部に背面部を形成した主連結部材を設け、前記両主直立板に等間隔をおいて水平溝孔と内方爪片を設けかつ等間隔をおいて凹孔を設け、前記主連結部材の両主直立板の内部に嵌挿する巾間隔を有する両副直立板の一側部に開口部を、他側部に背面部を形成した副連結部材を設け、前記両副直立板に等間隔をおいて設けた水平溝孔を前記両主直立板の内方爪片に係合するようにし、前記両副直立板に設けた凸起に前記両主直立板に設けた凹孔を嵌着するようにすることを特徴とする棟瓦用固定具。
【請求項２】
主連結部材を構成する両主直立板の背面部に内凸部を有する補強部を設け、副連結部材を構成する両副直立板の背面部に外凹部を有する補強部を設け、副連結部材の主連結部材への嵌挿時に前記内凸部と前記外凹部とを嵌着するようにすることを特徴とする請求項第１項に記載した棟瓦用固定具。
【発明の詳細な説明】
【技術分野】
【０００１】
本発明は、屋根の棟部の野地板上に取付け、冠瓦等を固着するための角材を支持固定するための棟瓦用固定具に関するものである。
【背景技術】
【０００２】
棟瓦用の固定具としては従来、特開２０００−１４５０３８号（特許第３２２４７９１号）、特開２００１−３５５３１８号（特許第３３７７５１８号）、特開２００４−２２５３２３号のごとき発明が公開されているが、いずれも棟瓦を固定するための固定具の高さ位置を均一に調整する必要に応ずることを目的に構成されているものであるが、この高さ調節の施工作業が必ずしも迅速かつ円滑に行くとは限らず、作業効率に難点があった。
【０００３】
【特許文献１】特開２０００−１４５０３８号公報
【特許文献２】特開２００１−３５５３１８号公報
【特許文献３】特開２００４−２２５３２３号公報
【発明の開示】
【発明が解決しようとする課題】
【０００４】
そこで、本発明は、このような欠点を一掃した作業効率の良好な固定具を提供することを目的とするものである。
【課題を解決するための手段】
【０００５】
本発明は、左右両支脚板の中央部に相対した両主直立板の一側部に開口部を、他側部に背面部を形成した主連結部材を設け、前記両主直立板に等間隔をおいて水平溝孔と内方爪片を設けかつ等間隔をおいて凹孔を設け、前記主連結部材の両主直立板の内部に嵌挿する巾間隔を有する両副直立板の一側部に開口部を、他側部に背面部を形成した副連結部材を設け、前記両副直立板に等間隔をおいて設けた水平溝孔を前記両主直立板の内方爪片に係合するようにし、前記両副直立板に設けた凸起に前記両主直立板に設けた凹孔を嵌着し、さらに主連結部材を構成する両主直立板の背面部に内凸部を有する補強部を設け、副連結部材を構成する両副直立板の背面部に外凹部を有する補強部を設け、副連結部材の主連結部材への嵌挿時に前記内凸部と前記外凹部とを嵌着するようにするものである。
【発明の効果】
【０００６】
第１に、主連結部材の両主直立板部に設けた多数の溝孔には水平内方向に爪片を突設しているから、副連結部材の両副直立板部を前記主連結部材の両主直立板部内に挿入しようとするとき、副連結部材の両副直立板部に設けた多数の溝孔が前記爪片に係合してこれをガイドに円滑にスライド挿入することができ、また前記爪片はすべて正副両連結部材の正副両直立板部の内側に収納した状態になるから、固定具全体の外観はすっきりした形態に成る。
【０００７】
第２に、前記スライド挿入時に正副両連結部材は、副連結部材の両直立板部上の全凸起が主連結部材の両直立板部上の全凹孔に嵌着した状態になるから、作業効率が良いとともに両部材の固定関係は強固になる。
【０００８】
第３に、正副両連結部材の密着度は、前記左右両直立板部分の左右両側面からの嵌着関係のみならず、両連結部材の左右両直立板の背面部における内凸部と外凹部との縦方向面からの嵌着関係によって全体の補強を兼ねて増大するようになるから、固定具全体の安定性はきわめて良好である。
【発明を実施するための最良の形態】
【０００９】
いま所定の屋根の棟部において、本発明具を設置しようとするときは、まず左右に開脚した支脚板を釘打ちして固定する。
【００１０】
しかる後に、取付けるべき角材の高さ位置に合わせて、中央部に垂直に立設した主連結部材の開口部に向って副連結部材を挿入せんとする。すると、適当高さに置いた副連結部材の左右両副直立板に設けられた水平溝孔が、前記主連結部材の左右両主直立板の内側に対面している水平溝孔からの爪片に係合して水平に進入し、最後に副連結部材の背面補強部の外凹部が主連結板材の背面補強部の内凸部に嵌合して停止する。同時に、前記副連結板材の両副直立板の水平溝孔間に突設している凸起が、主連結部材の両主直立板の水平溝孔間に設けた凹孔に嵌合して固定するようになる。
【００１１】
以上のようにして上下部材を連結して一定の高さに設置した多数の本固定具にあっては、副連結部材の左右Ｌ形の棟受け部間に所定の角材を架けわたし、この角材に対して釘打ちして固定することになる。
【実施例】
【００１２】
１，１は左右に適当角度に開脚した支脚板で、この両支脚板の中央部には一体に主直立板２，２を合わせて垂直に形成した主連結部材３を設け、この主連結部材の前記両主直立板２，２はその一側部には開口部４を、他側部には背面部５を形成する。
【００１３】
６は、前記両主直立板２，２の背面部５に設けた内凸部に成る補強部で、また両主直立板の開口部４の両端部には案内部７，７を設ける。
【００１４】
８・・は前記両主直立板２，２に等間隔をおいて水平に設けた溝孔で、この溝孔の上辺部内側には爪片９・・を突設する。
【００１５】
１０・・は前記溝孔８・・間の開口部４に近接した部分に設けた凹孔である。
【００１６】
１１は前記主連結部材３の開口部４から嵌合するように成る副連結部材で、この副連結部材は左右の副直立板１２，１２から成り、この両副直立板の巾間隔は前記主連結部材３の開口部４に嵌合する巾に成る。
【００１７】
１３は前記副連結部材１１の両副直立板１２，１２の一側部に設けた開口部で、その他側部には背面部１４を形成する。
【００１８】
１５は前記両副直立板１２，１２の背面部１４に形成した外凹部に成る補強部で、この補強部は副連結部材１１を主連結部材３側の背面部５に設けた内凸部の補強部６に嵌合するようになる。
【００１９】
１６，１６・・は前記両副直立板１２，１２の開口部１３の端部に設けた当接部で、この当接部には嵌合時に前記両主直立板２，２の案内部７，７が当接するように成る。
【００２０】
１７，１７・・は前記両副直立板１２，１２に等間隔に水平に設けた溝孔で、この各溝孔は前記主連結部材３側の両主直立板２，２に設けた各溝孔８・・の各爪片９・・をスライド係合するように成る。
【００２１】
１８・・は前記両副直立板の溝孔１７・・間の開口部に近接した部分に設けた凸起で、この各凸起は前記主連結部材３の副連結部材１１への嵌合時に、前記両主直立板の溝孔間に設けた凹孔１０・・に嵌着するように成る。
【００２２】
前記両副直立板１２，１２の溝孔１７，１７・・の適所には高さ寸法を表示しておくとよい。
【００２３】
１９，１９は前記副連結部材１１の両副直立板１２，１２の頂端に一体にＬ形に設けた棟受け部で、この棟受け部の側面部には釘孔２０，２０を設ける。
【図面の簡単な説明】
【００２４】
【図１】各部材の斜視図
【図２】両部材の取付状態を示した斜視図
【図３】一部材の平面図
【図４】一部材の正面図
【図５】一部材の背面図
【図６】他部材の平面図
【図７】他部材の背面図
【符号の説明】
【００２５】
１，１                支脚板
２，２                主直立板
３                    主連結部材
４                    開口部
５                    背面部
６                    補強部
８・・                溝孔
９・・                爪片
１０・・              凹孔
１１                  副連結部材
１２，１２            副直立板
１３                  開口部
１４                  背面部
１５                  補強部
１７                  溝孔
１８                  凸起
【図１】
2006328806.tif 000003
【図２】
2006328806.tif 000004
【図３】
2006328806.tif 000005
【図４】
2006328806.tif 000006
【図５】
2006328806.tif 000007
【図６】
2006328806.tif 000008
【図７】
2006328806.tif 000009